(57)【要約】【課題】所望する取付け箇所に対してカーテンレールを確実且つ強固に固定することができるとともに、カーテンレールの取付け作業及び取外し作業が簡単且つ容易に行えるカーテンレール用ブラケットの提供を目的とする。【解決手段】ブラケット本体２の一端側に形成された係止爪２ａを、カーテンレールＡの一側上縁部に形成された第１溝部Ａａに対して平行に係止する。ブラケット本体２の他端側に取付けられた爪部材３を、カーテンレールＡの長さ方向に対して斜めに交差するスライド方向へ移動させ、該爪部材３の係止爪３ａを、カーテンレールＡの他側上縁部に形成された第２溝部Ａｂに対して平行に係止する。つまり、ブラケット本体２の係止爪２ａと爪部材３の係止爪３ａとを、カーテンレールＡの第１溝部Ａａ及び第２溝部Ａｂに対して平行に係止することにより、所望する取付け箇所に対してカーテンレールＡを確実且つ強固に固定する。【選択図】図４
0003154258.tif 000002
【実用新案登録請求の範囲】
【請求項１】
ブラケット本体の一端側に形成された係止爪を、カーテンレールの一側上縁部に形成された第１溝部に係止し、該ブラケット本体の他端側に取付けられた爪部材の係止爪を、カーテンレールの他側上縁部に形成された第２溝部に係止して、前記カーテンレールを所望する取付け箇所に沿って架設するためのカーテンレール用ブラケットであって、
前記ブラケット本体の係止爪を、前記カーテンレールの第１溝部に沿って平行に形成し、
前記爪部材の係止爪を、前記カーテンレールの第２溝部に沿って平行に形成し、
前記爪部材を、該爪部材の係止爪が前記カーテンレールの第２溝部に対して平行に係止される向きに規制したまま、前記カーテンレールの長さ方向に対して斜めに交差するスライド方向に向けて移動自在に設け、
前記爪部材を、前記カーテンレールの第２溝部に対して係止される前進位置と、該第２溝部に対する係止が解除される後退位置とに移動自在に設けた
カーテンレール用ブラケット。
【請求項２】
前記ブラケット本体の他端側に形成されたネジ孔と、該ネジ孔と対向して前記爪部材に形成された長孔とを連通し、
前記ブラケット本体のネジ孔に、前記爪部材の長孔を介して止めネジを螺合して、前記爪部材を、前記カーテンレールの第２溝部に対して平行に係止される方向に向けて移動自在に設けた
請求項１に記載のカーテンレール用ブラケット。
【請求項３】
前記ブラケット本体の他端側と前記爪部材の他端側とに、互いに当接される規制片と当接部とを前記爪部材のスライド方向と平行して形成するとともに、
前記規制片と当接部とを、前記爪部材の係止爪が前記カーテンレールの第２溝部に対して平行に係止される方向に向けて移動規制される角度に斜設した
請求項１又は２に記載のカーテンレール用ブラケット。
【請求項４】
前記規制片と当接部との対向面に、前記爪部材の係止爪を前記カーテンレールの第２溝部に対して係止した際に互いに係合され、該爪部材の係止爪と前記カーテンレールの第２溝部との係止状態を維持する凸部と凹部とを設けた
請求項１〜３のいずれか一つに記載のカーテンレール用ブラケット。
【請求項５】
前記凸部及び凹部の一方を、前記爪部材のスライド方向と平行して所定間隔に隔てて複数設けた
請求項１〜４のいずれか一つに記載のカーテンレール用ブラケット。
【請求項６】
前記ブラケット本体と前記爪部材との間に、前記爪部材を前記カーテンレールの第２溝部に対して係止される方向に付勢する付勢手段を設けた
請求項１〜５のいずれか一つに記載のカーテンレール用ブラケット。
【考案の詳細な説明】
【技術分野】
【０００１】
この考案は、例えば天井部、窓部、壁部等の所望する取付け箇所に対してカーテンレールを架設する際に用いられるカーテンレール用ブラケットに関する。
【背景技術】
【０００２】
従来、前記カーテンレールの取付け構造としては、例えば本体２１のフック２４を、カーテンレール１０の一方の耳１７に係止し、爪２２のフック２５を、カーテンレール１０の他方の耳１７に係止して、爪２２を止めねじ２３で締め付け、カーテンレール１０を本体２１に固定することが開示された特許文献１のアーチ型カーテンレール用カーテン開閉装置がある。
【０００３】
しかし、前記アーチ型カーテンレール用カーテン開閉装置は、本体２１に対して止めねじ２３を介して固定された爪２２を、止めねじ２３を中心にして水平回転し、爪２２のフック２５をカーテンレール１０の他方の耳１７に係止するものであるが、爪２２の水平回転が許容されるように、フック２５の角部をアール形状に加工しなければならない。これにより、爪２２のフック２５とカーテンレール１０の耳１７との接触面積が小さくなり、カーテンレール１０を長さ方向に対して移動不可に固定するのに必要な接触抵抗が得られなくなるため、カーテンレール１０の取付け位置が変位するか、ガタツキが生じやすくなる。
【先行技術文献】
【特許文献】
【０００４】
【特許文献１】特開平８−１８２６０５号公報
【考案の概要】
【考案が解決しようとする課題】
【０００５】
この考案は前記問題に鑑み、所望する取付け箇所に対してカーテンレールを確実且つ強固に固定することができるとともに、カーテンレールの取付け作業及び取外し作業が簡単且つ容易に行えるカーテンレール用ブラケットの提供を目的とする。
【課題を解決するための手段】
【０００６】
この考案は、ブラケット本体の一端側に形成された係止爪を、カーテンレールの一側上縁部に形成された第１溝部に係止し、該ブラケット本体の他端側に取付けられた爪部材の係止爪を、カーテンレールの他側上縁部に形成された第２溝部に係止して、前記カーテンレールを所望する取付け箇所に沿って架設するためのカーテンレール用ブラケットであって、前記ブラケット本体の係止爪を、前記カーテンレールの第１溝部に沿って平行に形成し、前記爪部材の係止爪を、前記カーテンレールの第２溝部に沿って平行に形成し、前記爪部材を、該爪部材の係止爪が前記カーテンレールの第２溝部に対して平行に係止される向きに対向したまま、前記カーテンレールの長さ方向に対して斜めに交差するスライド方向に向けて移動自在に設け、前記爪部材を、前記カーテンレールの第２溝部に対して係止される前進位置と、該第２溝部に対する係止が解除される後退位置とに移動自在に設けたカーテンレール用ブラケットであることを特徴とする。
【０００７】
この考案の態様として、前記ブラケット本体の他端側に形成されたネジ孔と、該ネジ孔と対向して前記爪部材に形成された長孔とを連通し、前記ブラケット本体のネジ孔に、前記爪部材の長孔を介して止めネジを螺合して、前記爪部材を、前記カーテンレールの第２溝部に対して平行に係止される方向に向けて移動自在に設けることができる。
【０００８】
また、この考案の態様として、前記ブラケット本体の他端側と前記爪部材の他端側とに、互いに当接される規制片と当接部とを前記爪部材のスライド方向と平行して形成するとともに、前記規制片と当接部とを、前記爪部材の係止爪が前記カーテンレールの第２溝部に対して平行に係止される方向に向けて移動規制される角度に斜設することができる。
【０００９】
また、この考案の態様として、前記規制片と当接部との対向面に、前記爪部材の係止爪を前記カーテンレールの第２溝部に対して係止した際に互いに係合され、該爪部材の係止爪と前記カーテンレールの第２溝部との係止状態を維持する凸部と凹部とを設けることができる。
【００１０】
また、この考案の態様として、前記凸部及び凹部の一方を、前記爪部材のスライド方向と平行して所定間隔に隔てて複数設けることができる。
【００１１】
また、この考案の態様として、前記ブラケット本体と前記爪部材との間に、前記爪部材を前記カーテンレールの第２溝部に対して係止される方向に付勢する付勢手段を設けることができる。
【００１２】
前記凸部及び凹部は、例えば半円形、半楕円形、三角形等の凹凸で構成することができる。また、付勢手段は、例えばコイルスプリング、板バネ、渦巻きバネ、ゴム等の弾性体で構成することができる。
【考案の効果】
【００１３】
この考案によれば、ブラケット本体に取付けられた爪部材を、カーテンレールの長さ方向に対して斜めに交差するスライド方向へスライド移動して、ブラケット本体の係止爪と爪部材の係止爪とをカーテンレールの第１溝部と第２溝部とに対して平行に係止するので、所望する取付け箇所に対してカーテンレールを確実且つ強固に固定することができるとともに、カーテンレールの取付け作業及び取外し作業が簡単且つ容易に行える。また、爪部材を、カーテンレールの長さ方向に対して斜めに交差するスライド方向へ移動するので、爪部材を、カーテンレールの長さ方向と直交する方向へ移動する構造よりも、ブラケット本体の全長が短くなり、小型化を図ることができる。
【図面の簡単な説明】
【００１４】
【図１】本考案のカーテンレール用ブラケットを示す底面図。
【図２】図１のカーテンレール用ブラケットの構造を示す縦断側面図。
【図３】爪部材のスライド動作を示す縦断側面図。
【図４】カーテンレールの取付け状態を示す底面図。
【図５】カーテンレールの仮止め状態を示す縦断側面図。
【図６】カーテンレール用ブラケットの他の例を示す底面図。
【図７】カーテンレール用ブラケットのその他の例を示す底面図。
【考案を実施するための形態】
【実施例】
【００１５】
図面は、取付け箇所の一例である天井部に対してカーテンレールを架設する際に用いられるカーテンレール用ブラケットを示している。
【００１６】
図１及び図２に於いて、このカーテンレール用ブラケット１は、ブラケット本体２を天井部Ｂに対してネジ部材５により固定した後、ブラケット本体２の一端側に形成された係止爪２ａに、カーテンレールＡの一側上縁部に形成された第１溝部Ａａを係止する。
【００１７】
ブラケット本体２の他端側に取付けられた爪部材３を、カーテンレールＡの長さ方向に対して斜めに交差するスライド方向へ移動して、爪部材３の一端側に形成された係止爪３ａを、カーテンレールＡの他側上縁部に形成された第２溝部Ａｂに係止することにより、カーテンレールＡを天井部Ｂに沿って水平に架設するものである。
【００１８】
カーテンレール用ブラケット１は、天井部Ｂに対してネジ部材５で固定される金属板を折曲げ加工してなるブラケット本体２と、ブラケット本体２の一端側に形成された係止爪２ａと対向して、該ブラケット本体２の他端側に対してスライド自在に取付けられた金属板からなる爪部材３と、ブラケット本体２と爪部材３とを一体的に組付けるためのワッシャー付き止めネジ４とで構成される。
【００１９】
ブラケット本体２は、カーテンレールＡの第１溝部Ａａに対して係止が許容される厚み或いは断面形状に形成している。ブラケット本体２の一端側に形成した係止爪２ａは、カーテンレールＡの第１溝部Ａａに対して係止される大きさ及び形状に折曲げ形成している（図３参照）。
【００２０】
係止爪２ａの先端は、後述する爪部材３の係止爪３ａ及びカーテンレールＡの第１溝部Ａａに沿って平行に形成され、該第１溝部Ａａに対して略平行に押し当てられる直線形状に形成している（図４参照）。
【００２１】
ブラケット本体２の他端側下面には、カーテンレールＡの第２溝部Ａｂに対して係止される爪部材３を、該ブラケット本体２の係止爪２ａと対向する高さ位置に取付けている。ブラケット本体２の下側中央面には、ネジ部材５の挿通が許容される孔部２ｂを所定間隔に隔てて複数形成している。  
なお、ブラケット本体２の他端側は、ブラケット本体２の中央面に対して金属板の厚みだけ低くなるように折曲げ形成している。
【００２２】
つまり、ブラケット本体２の他端側下面に形成されたネジ孔２ｃと、該ネジ孔２ｃと対向して爪部材３に形成された長孔３ｂとを連通した後、ワッシャー付き止めネジ４を、爪部材３の長孔３ｂを介して、ブラケット本体２のネジ孔２ｃに螺合している。
【００２３】
これにより、爪部材３を、カーテンレールＡの第２溝部Ａｂに対して平行に係止されるスライド方向に向けて移動自在に取付け、カーテンレールＡの第２溝部Ａｂに対して係止される前進位置と、該第２溝部Ａｂに対する係止が解除される後退位置とに移動自在に設けている（図１参照）。
【００２４】
ブラケット本体２の他端側に形成した規制片２ｄは、爪部材３の他端側に形成された当接部３ｃと対向する角度に折曲げ形成され、爪部材３を、カーテンレールＡの長さ方向に対して斜めに交差するスライド方向へガイドする。
【００２５】
また、ブラケット本体２の規制片２ｄと爪部材３の当接部３ｃとは、図１の矢印Ｘで示す爪部材３のスライド方向と平行して形成され、爪部材３がカーテンレールＡの第２溝部Ａｂに対して係止される方向に向けて移動規制される角度に斜設している。
【００２６】
つまり、ブラケット本体２の規制片２ｄに対して爪部材３の当接部３ｃを当接することにより、爪部材３が、該爪部材３の係止爪３ａとカーテンレールＡの第２溝部Ａｂとが平行に対向する角度及び姿勢に回動規制され、カーテンレールＡの第２溝部Ａｂに対して係止される方向へ移動規制することができる。
【００２７】
前記爪部材３は、ブラケット本体２と略同じ厚み形成された金属板で構成され、カーテンレールＡの第２溝部Ａｂに対して係止が許容される厚み或いは断面形状に形成している。
【００２８】
爪部材３の一端側に形成した係止爪３ａは、カーテンレールＡの第２溝部Ａｂに対して係止される大きさ及び形状に形成している（図３参照）。爪部材３の他端側に形成した当接部３ｃは、ブラケット本体２の規制片２ｄに対して当接される大きさ及び形状に形成している（図４参照）。
【００２９】
係止爪３ａの先端は、ブラケット本体２の係止爪２ａ及びカーテンレールＡの第２溝部Ａｂに沿って平行に形成され、該第２溝部Ａｂに対して略平行に押し当てられる直線形状に形成している。
【００３０】
爪部材３の長孔３ｂは、カーテンレールＡの長さ方向に対して斜めに交差するスライド方向に向けてブラケット本体２の規制片２ｄと平行して形成している（図４参照）。
【００３１】
つまり、ブラケット本体２に取付けられた爪部材３を、爪部材３の係止爪３ａがカーテンレールＡの第２溝部Ａｂに対して平行に係止される向き規制したまま、カーテンレールＡの長さ方向に対して斜めに交差するスライド方向へ移動させる。  
該爪部材３の係止爪３ａがカーテンレールＡの第２溝部Ａｂに沿って平行に係止されるとともに、係止爪３ａの真っ直ぐな先端が第２溝部Ａｂの奥側に対して平行に押し当てられる（図４参照）。
【００３２】
また、爪部材３を、該爪部材３の係止爪３ａがカーテンレールＡの第２溝部Ａｂから抜き取られる方向へスライド移動すれば、爪部材３の係止爪３ａとカーテンレールＡの第２溝部Ａｂとの係止を解除することができる（図３のｂ参照）。
【００３３】
図示実施例は前記の如く構成するものにして、以下、カーテンレール用ブラケット１を用いたカーテンレールＡの取付け方法を説明する。
【００３４】
先ず、カーテンレール用ブラケット１のブラケット本体２を天井部Ｂに対してネジ部材５により固定する。同様にして、複数のカーテンレール用ブラケット１…を所定間隔に隔てて天井部Ｂに固定する。
【００３５】
この後、長尺のカーテンレールＡを、端面から見て一側上縁部が高く他側上縁部が低くなる傾き姿勢に保持して、カーテンレールＡの一側上縁部に形成された第１溝部Ａａを、ブラケット本体２の一端側に形成された係止爪２ａに対して平行に係止する（図３のａ参照）。
【００３６】
つまり、係止爪２ａの真っ直ぐな先端部を、第１溝部Ａａの奥側に対して平行に押し当てて線接触或いは面接触させる（図４参照）。
【００３７】
次に、ブラケット本体２の係止爪２ａを中心として、カーテンレールＡの他側上縁部をブラケット本体２の他端側下面と対向する方向へ回動し、カーテンレールＡの上側平面部をブラケット本体２の下側中央面に押し付ける。
【００３８】
次に、ブラケット本体２の他端側に取付けられた爪部材３を、カーテンレールＡの長さ方向に対して斜めに交差するスライド方向へ前進移動させ、該爪部材３の係止爪３ａを、カーテンレールＡの第２溝部Ａｂに沿って平行に係止する。
【００３９】
つまり、係止爪３ａの真っ直ぐな先端を第２溝部Ａｂの奥側に対して平行に押し当てて線接触或いは面接触させた後、爪部材３の長孔３ｂに挿通された止めネジ４を、図示しない回動操作具により締込み方向へ回動操作して、爪部材３を、係止爪３ａの先端と第２溝部Ａｂの奥側とが互いに当接される位置に移動したまま締付け固定すれば、カーテンレール用ブラケット１に対してカーテンレールＡを本止め固定することができる（図３のａ参照）。
【００４０】
ブラケット本体２の係止爪２ａと爪部材３の係止爪３ａとを、カーテンレールＡの第１溝部Ａａと第２溝部Ａｂとに係止して、係止爪２ａ，３ａの真っ直ぐな先端部を、第１溝部Ａａ及び第２溝部Ａｂの奥側に対して平行に押し当てて線接触或いは面接触させるので、係止爪２ａ，３ａと第１溝部Ａａ及び第２溝部Ａｂとの接触面積が大きく、カーテンレールＡを固定するのに必要な接触抵抗が得られる。
【００４１】
これにより、カーテンレールＡを、取付け箇所の一例である天井部Ｂに対してガタツキの無い状態に確実且つ強固に固定することができる（図４参照）。
【００４２】
また、止めネジ４を、図示しない回動操作具により緩み方向へ回動操作して、爪部材３の締付け固定を解除した後、爪部材３を、係止爪３ａが第２溝部Ａｂから抜き取られる方向へ後退移動すれば、爪部材３の係止爪３ａとカーテンレールＡの第２溝部Ａｂとの係止が解除される（図３のｂ参照）。
【００４３】
このとき、ブラケット本体２の係止爪２ａを中心として、カーテンレールＡの他側上縁部を下方へ回動すれば、図３のｂ中に示す仮想線のカーテンレールＡをブラケット本体２から取り外すことができる。
【００４４】
また、爪部材３を、前進位置と後退位置との間に設定された中間位置へ移動させ、爪部材３を、係止爪３ａの先端が第２溝部Ａｂの縁部に係止される中間位置に固定すれば、カーテンレール用ブラケット１に対してカーテンレールＡを仮止め固定することができる（図５参照）。
【００４５】
仮止め時において、カーテンレールＡ全体を長さ方向に対して移動することができるので、本止め固定する前に、カーテンレールＡの取付け位置を適切な位置に調節することができる。
【００４６】
以上のように、カーテンレール用ブラケット１のブラケット本体２に取付けられた爪部材３を、カーテンレールＡの長さ方向に対して斜めに交差するスライド方向へ移動して、ブラケット本体２の係止爪２ａと爪部材３の係止爪３ａとを、カーテンレールＡの第１溝部Ａａ及び第２溝部Ａｂに対して平行に係止する。  
これにより、所望する取付け箇所に対してカーテンレールＡを確実且つ強固に固定することができるとともに、カーテンレールの取付け作業及び取外し作業が簡単且つ容易に行える。  
また、爪部材３を、カーテンレールＡの長さ方向に対して斜めに交差するスライド方向へ移動するので、爪部材３を、カーテンレールＡの長さ方向と直交する方向へ移動する構造よりも、ブラケット本体２の全長が短くて済み、カーテンレール用ブラケット１の小型化を図ることができる。
【００４７】
図６は、爪部材３を本止め位置及び仮止め位置にスライド規制するカーテンレール用ブラケット１の他の例を示している。  
ブラケット本体２の規制片２ｄと爪部材３の当接部３ｃとの対向面に、爪部材３の係止爪３ａをカーテンレールＡの第２溝部Ａｂに対して係止した際に互いに係合され、該爪部材３の係止爪３ａとカーテンレールＡの第２溝部Ａｂとの係止状態を維持する凸部２ｅと凹部３ｄ１，３ｄ２とを設けている。
【００４８】
つまり、ブラケット本体２の規制片２ｄに形成した凸部２ｅに、爪部材３の当接部３ｃに形成した凹部３ｄ１を係合すれば、爪部材３を、該爪部材３の係止爪３ａがカーテンレールＡの第２溝部Ａｂの奥側に対して本止め固定される前進位置に規制することができる。
【００４９】
また、規制片２ｄに形成した凸部２ｅに、当接部３ｃに形成した凹部３ｄ２を係合すれば、爪部材３を、該爪部材３の係止爪３ａがカーテンレールＡの第２溝部Ａｂの縁部に対して仮止め固定される中間位置に規制することができる。
【００５０】
また、爪部材３を、凸部２ｅと凹部３ｄ１，３ｄ２とが係合されない位置に移動すれば、爪部材３を後退位置に規制することができる。上記以外の構成の部分は前記実施例と同一であるので、前記実施例と略同等の作用及び効果を奏することができる。  
なお、凹部３ｄ１，３ｄ２は、爪部材３のスライド方向と平行して当接部３ｃに沿って所定間隔に隔てて設けている。また、凸部を２個以上の複数設けてもよい。
【００５１】
図７は、爪部材３をカーテンレールＡの第２溝部Ａｂに対して係止されるコイルスプリング６で付勢したカーテンレール用ブラケット１のその他の例を示している。
【００５２】
つまり、ブラケット本体２の規制片２ｄに形成した支持片２ｆと、爪部材３の当接部３ｃに形成した支持片３ｆとの間に張架されたコイルスプリング６の復元力により、ブラケット本体２の係止爪２ａ及び爪部材３の係止爪３ａを、カーテンレールＡの第１溝部Ａａ及び第２溝部Ａｂに対して係止される方向に付勢している。
【００５３】
これにより、ブラケット本体２の係止爪２ａ及び爪部材３の係止爪３ａと、カーテンレールＡの第１溝部Ａａ及び第２溝部Ａｂとの係止が解除されることがなく、カーテンレールＡを天井部Ｂに沿って水平に架設された状態を維持することができる。
【００５４】
上記以外の構成の部分は前記実施例と同一であるので、前記実施例と略同等の作用及び効果を奏することができる。なお、コイルスプリング６以外の付勢手段として、例えば板バネ、渦巻きバネ、ゴム等の弾性体を用いてもよい。
【００５５】
この考案の構成と、前記実施例との対応において、  
この考案の付勢手段は、実施例のコイルスプリング６に対応するも、  
この考案は、前記実施例の構成のみに限定されるものではなく、請求項に示される技術思想に基づいて応用することができ、多くの実施の形態を得ることができる。
【産業上の利用可能性】
【００５６】
この考案のカーテンレール用ブラケットの構造は、取付け箇所の一例である天井部以外に、例えば窓部、壁部等の所望する取付け箇所に対してカーテンレールを架設する際に用いられるブラケットにも適用することができる。
【符号の説明】
【００５７】
Ａ…カーテンレール
Ａａ…第１溝部
Ａｂ…第２溝部
Ｂ…天井部
１…カーテンレール用ブラケット
２…ブラケット本体
２ａ，３ａ…係止爪
２ｄ…規制片
２ｅ…凸部
３…爪部材
３ｂ…長孔
３ｄ１，３ｄ２…凹部
４…止めネジ
６…コイルスプリング
【図１】
0003154258.tif 000003
【図２】
0003154258.tif 000004
【図３】
0003154258.tif 000005
【図４】
0003154258.tif 000006
【図５】
0003154258.tif 000007
【図６】
0003154258.tif 000008
【図７】
0003154258.tif 000009
【手続補正書】
【提出日】平成21年8月5日(2009.8.5)
【手続補正１】
【補正対象書類名】実用新案登録請求の範囲
【補正対象項目名】全文
【補正方法】変更
【補正の内容】
【実用新案登録請求の範囲】
【請求項１】
ブラケット本体の一端側に形成された係止爪を、カーテンレールの一側上縁部に形成された第１溝部に係止し、該ブラケット本体の他端側に取付けられた爪部材の係止爪を、カーテンレールの他側上縁部に形成された第２溝部に係止して、前記カーテンレールを所望する取付け箇所に沿って架設するためのカーテンレール用ブラケットであって、
前記ブラケット本体の係止爪を、前記カーテンレールの第１溝部に沿って平行に形成し、
前記爪部材の係止爪を、前記カーテンレールの第２溝部に沿って平行に形成し、
前記爪部材を、該爪部材の係止爪が前記カーテンレールの第２溝部に対して平行に係止される向きに規制したまま、前記カーテンレールの長さ方向に対して斜めに交差するスライド方向に向けて移動自在に設け、
前記爪部材を、前記カーテンレールの第２溝部に対して係止される前進位置と、該第２溝部に対する係止が解除される後退位置とに移動自在に設けた
カーテンレール用ブラケット。
【請求項２】
前記ブラケット本体の他端側に形成されたネジ孔と、該ネジ孔と対向して前記爪部材に形成された長孔とを連通し、
前記ブラケット本体のネジ孔に、前記爪部材の長孔を介して止めネジを螺合して、前記爪部材を、前記カーテンレールの第２溝部に対して平行に係止される方向に向けて移動自在に設けた
請求項１に記載のカーテンレール用ブラケット。
【請求項３】
前記ブラケット本体の他端側と前記爪部材の他端側とに、互いに当接される規制片と当接部とを前記爪部材のスライド方向と平行して形成するとともに、
前記規制片と当接部とを、前記爪部材の係止爪が前記カーテンレールの第２溝部に対して平行に係止される方向に向けて移動規制される角度に斜設した
請求項１又は２に記載のカーテンレール用ブラケット。
【請求項４】
前記規制片と当接部との対向面に、前記爪部材の係止爪を前記カーテンレールの第２溝部に対して係止した際に互いに係合され、該爪部材の係止爪と前記カーテンレールの第２溝部との係止状態を維持する凸部と凹部とを設けた
請求項３に記載のカーテンレール用ブラケット。
【請求項５】
前記凸部及び凹部の一方を、前記爪部材のスライド方向と平行して所定間隔に隔てて複数設けた
請求項４に記載のカーテンレール用ブラケット。
【請求項６】
前記ブラケット本体と前記爪部材との間に、前記爪部材を前記カーテンレールの第２溝部に対して係止される方向に付勢する付勢手段を設けた
請求項１〜５のいずれか一つに記載のカーテンレール用ブラケット。